(57)【要約】【課題】出力装置が有する表示部の解像度に関わらず、OSD形式で表示される情報の画質の劣化を防ぐことができるようにする。【解決手段】本技術の一側面の情報処理システムは、画像に重ねて表示させるOSD情報の表示位置、および表示サイズの情報を少なくとも含む、OSD情報の属性情報を生成する生成部と、属性情報を出力装置に対して送信する送信部とを備える情報処理装置と、画像を表示する表示部と、属性情報を受信する受信部と、表示部の解像度に応じたOSD情報の表示に用いられる表示用データを取得する取得部と、表示用データに基づいて、表示位置の情報により指定される表示部上の位置に、表示サイズの情報により指定されるサイズでOSD情報を表示させる表示制御部とを備える出力装置とから構成される。本技術は、デジタルカメラとTVからなるシステムに適用することができる。【選択図】図１
2014116686.tif 000002
【特許請求の範囲】
【請求項１】
画像に重ねて表示させるOSD情報の表示位置、および表示サイズの情報を少なくとも含む、前記OSD情報の属性情報を生成する生成部と、
前記属性情報を、自身が有する表示部の解像度に応じた前記OSD情報の表示に用いられる表示用データを取得し、前記表示用データに基づいて、前記表示位置の情報により指定される前記表示部上の位置に、前記表示サイズの情報により指定されるサイズで前記OSD情報を表示させる出力装置に対して送信する送信部と
を備える情報処理装置。
【請求項２】
前記画像を撮影する撮影部をさらに備え、
前記送信部は、前記撮影部により撮影された前記画像を送信するとともに、送信した前記画像に重ねて表示させる前記OSD情報の前記属性情報を送信する
請求項１に記載の情報処理装置。
【請求項３】
前記生成部は、同じ種類の前記OSD情報の前記表示用データとして、解像度が異なる前記OSD情報の表示に用いられる複数の前記表示用データを管理するサーバのアドレスをさらに含む前記属性情報を生成する
請求項１に記載の情報処理装置。
【請求項４】
同じ種類の前記OSD情報の前記表示用データとして、解像度が異なる前記OSD情報の表示に用いられる複数の前記表示用データを記憶する記憶部をさらに備え、
前記送信部は、前記出力装置が有する前記表示部の解像度に応じた前記OSD情報の表示に用いられる前記表示用データを前記出力装置に送信する
請求項１に記載の情報処理装置。
【請求項５】
前記生成部は、前記OSD情報の種類を表す識別情報をさらに含む前記属性情報を生成する
請求項１に記載の情報処理装置。
【請求項６】
画像に重ねて表示させるOSD情報の表示位置、および表示サイズの情報を少なくとも含む、前記OSD情報の属性情報を生成し、
前記属性情報を、自身が有する表示部の解像度に応じた前記OSD情報の表示に用いられる表示用データを取得し、前記表示用データに基づいて、前記表示位置の情報により指定される前記表示部上の位置に、前記表示サイズの情報により指定されるサイズで前記OSD情報を表示させる出力装置に対して送信する
ステップを含む情報処理方法。
【請求項７】
画像に重ねて表示させるOSD情報の表示位置、および表示サイズの情報を少なくとも含む、前記OSD情報の属性情報を生成し、
前記属性情報を、自身が有する表示部の解像度に応じた前記OSD情報の表示に用いられる表示用データを取得し、前記表示用データに基づいて、前記表示位置の情報により指定される前記表示部上の位置に、前記表示サイズの情報により指定されるサイズで前記OSD情報を表示させる出力装置に対して送信する
ステップを含む処理をコンピュータに実行させるプログラム。
【請求項８】
画像を表示する表示部と、
前記画像に重ねて表示させるOSD情報の表示位置、および表示サイズの情報を少なくとも含む、前記OSD情報の属性情報を生成する情報処理装置から送信されてきた前記属性情報を受信する受信部と、
前記表示部の解像度に応じた前記OSD情報の表示に用いられる表示用データを取得する取得部と、
前記表示用データに基づいて、前記表示位置の情報により指定される前記表示部上の位置に、前記表示サイズの情報により指定されるサイズで前記OSD情報を表示させる表示制御部と
を備える出力装置。
【請求項９】
前記受信部は、前記情報処理装置から送信されてきた、前記情報処理装置により撮影された前記画像を受信するとともに、受信した前記画像に重ねて表示させる前記OSD情報の前記属性情報を受信する
請求項８に記載の出力装置。
【請求項１０】
前記受信部は、同じ種類の前記OSD情報の前記表示用データとして、解像度が異なる前記OSD情報の表示に用いられる複数の前記表示用データを管理するサーバのアドレスをさらに含む前記属性情報を受信し、
前記取得部は、前記アドレスに基づいて前記サーバにアクセスし、前記表示部の解像度に応じた前記OSD情報の表示に用いられる前記表示用データを取得する
請求項８に記載の出力装置。
【請求項１１】
前記取得部は、同じ種類の前記OSD情報の前記表示用データとして、解像度が異なる前記OSD情報の表示に用いられる複数の前記表示用データを管理する前記情報処理装置から、前記表示部の解像度に応じた前記OSD情報の表示に用いられる前記表示用データを取得する
請求項８に記載の出力装置。
【請求項１２】
前記表示部の解像度に応じた前記OSD情報の表示に用いられる前記表示用データを記憶する記憶部をさらに備え、
前記受信部は、前記OSD情報の種類を表す識別情報をさらに含む前記属性情報を受信し、
前記取得部は、前記識別情報により表される種類と同じ種類の前記OSD情報の表示に用いられる前記表示用データを前記記憶部から取得する
請求項８に記載の出力装置。
【請求項１３】
画像に重ねて表示させるOSD情報の表示位置、および表示サイズの情報を少なくとも含む、前記OSD情報の属性情報を生成する情報処理装置から送信されてきた前記属性情報を受信し、
前記画像を表示する表示部の解像度に応じた前記OSD情報の表示に用いられる表示用データを取得し、
前記表示用データに基づいて、前記表示位置の情報により指定される前記表示部上の位置に、前記表示サイズの情報により指定されるサイズで前記OSD情報を表示させる
ステップを含む出力方法。
【請求項１４】
画像に重ねて表示させるOSD情報の表示位置、および表示サイズの情報を少なくとも含む、前記OSD情報の属性情報を生成する情報処理装置から送信されてきた前記属性情報を受信し、
前記画像を表示する表示部の解像度に応じた前記OSD情報の表示に用いられる表示用データを取得し、
前記表示用データに基づいて、前記表示位置の情報により指定される前記表示部上の位置に、前記表示サイズの情報により指定されるサイズで前記OSD情報を表示させる
ステップを含む処理をコンピュータに実行させるプログラム。
【請求項１５】
画像に重ねて表示させるOSD情報の表示位置、および表示サイズの情報を少なくとも含む、前記OSD情報の属性情報を生成する生成部と、
前記属性情報を出力装置に対して送信する送信部と
を備える情報処理装置と、
前記画像を表示する表示部と、
前記属性情報を受信する受信部と、
前記表示部の解像度に応じた前記OSD情報の表示に用いられる表示用データを取得する取得部と、
前記表示用データに基づいて、前記表示位置の情報により指定される前記表示部上の位置に、前記表示サイズの情報により指定されるサイズで前記OSD情報を表示させる表示制御部と
を備える前記出力装置と
からなる
情報処理システム。
【発明の詳細な説明】
【技術分野】
【０００１】
本技術は、情報処理装置、情報処理方法、出力装置、出力方法、プログラム、および情報処理システムに関し、特に、出力装置が有する表示部の解像度に関わらず、OSD形式で表示される情報の画質の劣化を防ぐことができるようにした情報処理装置、情報処理方法、出力装置、出力方法、プログラム、および情報処理システムに関する。
【背景技術】
【０００２】
デジタルスチルカメラやデジタルビデオカメラなどの装置には、通常、LCD(Liquid Crystal Display)などの表示パネルが設けられており、ユーザは、撮影コンテンツを表示パネル上で鑑賞することができる。静止画や動画などの撮影コンテンツの鑑賞時、表示パネルには、撮影コンテンツの他に、撮影コンテンツの情報や、撮影装置を操作するためのアイコンなどの情報も表示される。
【０００３】
ここで、前者のコンテンツは、撮像素子によって得られた映像信号に基づいて表示される自然画像である。これに対し、後者の各種の情報は、コンピュータなどで生成されたグラフィックや文字などの人工画像である。人工画像は、OSD(On Screen Display)形式で自然画像に重ねて表示される。
【０００４】
また、TVなどの外部出力装置に撮影装置を接続し、撮影コンテンツを外部出力装置に表示させて鑑賞することも一般的に行われている。撮影装置から外部出力装置に対する撮影コンテンツの出力は、例えば撮影装置に設けられたライン出力を用いて行われる。撮影コンテンツをライン出力する際、撮影装置は、OSDレイヤの人工画像を外部出力装置で表示可能なサイズに拡大し、自然画像に合成して映像信号として出力する。
【０００５】
撮影装置内のメモリには、OSD形式で表示させる人工画像の表示用データとして、撮影装置に設けられた表示パネルの解像度に合わせた画像サイズのデータが用意されている。通常、撮影装置の表示パネルの解像度はVGA(Video Graphics Array)やSVGA(Super VGA)程度の解像度である。従って、撮影装置内のメモリに用意されている人工画像を拡大してOSDレイヤを生成し、Full HDといった高解像度の表示パネルを有する外部出力装置にライン出力した場合、外部出力装置上では人工画像の画質が劣化してしまう。
【０００６】
そこで、拡大しても自然で鮮明なOSDを表示できるようにする技術が各種提案されている。例えば特許文献１には、OSDレイヤを拡大する際に、文字やグラフィックスデータの置かれているエリアについては整数倍の拡大を行い、置かれていないエリアについては実数倍の拡大を行う技術が開示されている。
【先行技術文献】
【特許文献】
【０００７】
【特許文献１】特開２００９−１９４４２５号公報
【発明の概要】
【発明が解決しようとする課題】
【０００８】
拡大処理を伴う以上、従来の技術によっては人工画像の画質劣化が避けられない。近年、QFHD(Quad Full HD)（3840×2160画素）などの高解像度の表示パネルを有するTVがあるが、このようなTVにライン出力する場合、人工画像の画像サイズがVGA（640×480画素）であるとすると、人工画像を約６倍に拡大する必要がある。また、撮影装置に設けられる表示パネルのアスペクト比とTVのアスペクト比が異なる場合、縦横比が歪んだ人工画像が表示されてしまう。
【０００９】
本技術はこのような状況に鑑みてなされたものであり、出力装置が有する表示部の解像度に関わらず、OSD形式で表示される情報の画質の劣化を防ぐことができるようにするものである。
【課題を解決するための手段】
【００１０】
本技術の第１の側面の情報処理装置は、画像に重ねて表示させるOSD情報の表示位置、および表示サイズの情報を少なくとも含む、前記OSD情報の属性情報を生成する生成部と、前記属性情報を、自身が有する表示部の解像度に応じた前記OSD情報の表示に用いられる表示用データを取得し、前記表示用データに基づいて、前記表示位置の情報により指定される前記表示部上の位置に、前記表示サイズの情報により指定されるサイズで前記OSD情報を表示させる出力装置に対して送信する送信部とを備える。
【００１１】
前記画像を撮影する撮影部をさらに設けることができる。この場合、前記送信部には、前記撮影部により撮影された前記画像を送信させるとともに、送信した前記画像に重ねて表示させる前記OSD情報の前記属性情報を送信させることができる。
【００１２】
前記生成部には、同じ種類の前記OSD情報の前記表示用データとして、解像度が異なる前記OSD情報の表示に用いられる複数の前記表示用データを管理するサーバのアドレスをさらに含む前記属性情報を生成させることができる。
【００１３】
同じ種類の前記OSD情報の前記表示用データとして、解像度が異なる前記OSD情報の表示に用いられる複数の前記表示用データを記憶する記憶部をさらに設けることができる。この場合、前記送信部には、前記出力装置が有する前記表示部の解像度に応じた前記OSD情報の表示に用いられる前記表示用データを前記出力装置に送信させることができる。
【００１４】
前記生成部には、前記OSD情報の種類を表す識別情報をさらに含む前記属性情報を生成させることができる。
【００１５】
本技術の第２の側面の出力装置は、画像を表示する表示部と、前記画像に重ねて表示させるOSD情報の表示位置、および表示サイズの情報を少なくとも含む、前記OSD情報の属性情報を生成する情報処理装置から送信されてきた前記属性情報を受信する受信部と、前記表示部の解像度に応じた前記OSD情報の表示に用いられる表示用データを取得する取得部と、前記表示用データに基づいて、前記表示位置の情報により指定される前記表示部上の位置に、前記表示サイズの情報により指定されるサイズで前記OSD情報を表示させる表示制御部とを備える。
【００１６】
前記受信部には、前記情報処理装置から送信されてきた、前記情報処理装置により撮影された前記画像を受信させるとともに、受信した前記画像に重ねて表示させる前記OSD情報の前記属性情報を受信させることができる。
【００１７】
前記受信部には、同じ種類の前記OSD情報の前記表示用データとして、解像度が異なる前記OSD情報の表示に用いられる複数の前記表示用データを管理するサーバのアドレスをさらに含む前記属性情報を受信させ、前記取得部には、前記アドレスに基づいて前記サーバにアクセスし、前記表示部の解像度に応じた前記OSD情報の表示に用いられる前記表示用データを取得させることができる。
【００１８】
前記取得部には、同じ種類の前記OSD情報の前記表示用データとして、解像度が異なる前記OSD情報の表示に用いられる複数の前記表示用データを管理する前記情報処理装置から、前記表示部の解像度に応じた前記OSD情報の表示に用いられる前記表示用データを取得させることができる。
【００１９】
前記表示部の解像度に応じた前記OSD情報の表示に用いられる前記表示用データを記憶する記憶部をさらに設けることができる。この場合、前記受信部には、前記OSD情報の種類を表す識別情報をさらに含む前記属性情報を受信させ、前記取得部には、前記識別情報により表される種類と同じ種類の前記OSD情報の表示に用いられる前記表示用データを前記記憶部から取得させることができる。
【００２０】
本技術の第３の側面の情報処理システムは、画像に重ねて表示させるOSD情報の表示位置、および表示サイズの情報を少なくとも含む、前記OSD情報の属性情報を生成する生成部と、前記属性情報を出力装置に対して送信する送信部とを備える情報処理装置と、前記画像を表示する表示部と、前記属性情報を受信する受信部と、前記表示部の解像度に応じた前記OSD情報の表示に用いられる表示用データを取得する取得部と、前記表示用データに基づいて、前記表示位置の情報により指定される前記表示部上の位置に、前記表示サイズの情報により指定されるサイズで前記OSD情報を表示させる表示制御部とを備える出力装置とから構成される。
【００２１】
本技術の第１の側面においては、画像に重ねて表示させるOSD情報の表示位置、および表示サイズの情報を少なくとも含む、前記OSD情報の属性情報が生成され、前記属性情報が、自身が有する表示部の解像度に応じた前記OSD情報の表示に用いられる表示用データを取得し、前記表示用データに基づいて、前記表示位置の情報により指定される前記表示部上の位置に、前記表示サイズの情報により指定されるサイズで前記OSD情報を表示させる出力装置に対して送信される。
【００２２】
本技術の第２の側面においては、画像に重ねて表示させるOSD情報の表示位置、および表示サイズの情報を少なくとも含む、前記OSD情報の属性情報を生成する情報処理装置から送信されてきた前記属性情報が受信され、表示部の解像度に応じた前記OSD情報の表示に用いられる表示用データが取得される。また、前記表示用データに基づいて、前記表示位置の情報により指定される前記表示部上の位置に、前記表示サイズの情報により指定されるサイズで前記OSD情報が表示される。
【００２３】
本技術の第３の側面においては、情報処理装置により、画像に重ねて表示させるOSD情報の表示位置、および表示サイズの情報を少なくとも含む、前記OSD情報の属性情報が生成され、前記属性情報が、自身が有する表示部の解像度に応じた前記OSD情報の表示に用いられる表示用データを取得し、前記表示用データに基づいて、前記表示位置の情報により指定される前記表示部上の位置に、前記表示サイズの情報により指定されるサイズで前記OSD情報を表示させる出力装置に対して送信される。また、出力装置により、前記属性情報が受信され、表示部の解像度に応じた前記OSD情報の表示に用いられる表示用データが取得され、前記表示用データに基づいて、前記表示位置の情報により指定される前記表示部上の位置に、前記表示サイズの情報により指定されるサイズで前記OSD情報が表示される。
【発明の効果】
【００２４】
本技術によれば、出力装置が有する表示部の解像度に関わらず、OSD形式で表示される情報の画質の劣化を防ぐことができる。
【図面の簡単な説明】
【００２５】
【図１】本技術の一実施形態に係る情報処理システムの構成例を示す図である。
【図２】撮影装置の表示パネルの表示例を示す図である。
【図３】撮影装置のハードウェア構成例を示すブロック図である。
【図４】撮影装置の機能構成例を示すブロック図である。
【図５】外部出力装置のハードウェア構成例を示すブロック図である。
【図６】外部出力装置の機能構成例を示すブロック図である。
【図７】撮影コンテンツを出力する撮影装置の処理について説明するフローチャートである。
【図８】OSDメタデータの具体例について説明する図である。
【図９】OSDメタデータの具体例について説明する他の図である。
【図１０】撮影コンテンツを表示する外部出力装置の処理について説明するフローチャートである。
【図１１】図１０のステップＳ１５において行われるOSD表示用データ取得処理１について説明するフローチャートである。
【図１２】管理サーバが管理するOSD表示用データの例を示す図である。
【図１３】図１０のステップＳ１６において行われるOSD表示用データ取得処理２について説明するフローチャートである。
【図１４】図１３の処理に対応して行われる撮影装置の処理について説明するフローチャートである。
【図１５】図１０のステップＳ１７において行われるOSD表示用データ取得処理３について説明するフローチャートである。
【図１６】外部出力装置の表示パネルに表示されるOSD情報の例を示す図である。
【図１７】OSD情報のサイズについて説明する図である。
【図１８】OSDメタデータの他の具体例について説明する図である。
【図１９】撮影コンテンツを表示する外部出力装置の他の処理について説明するフローチャートである。
【発明を実施するための形態】
【００２６】
＜情報処理システムについて＞
［情報処理システムの構成］
図１は、本技術の一実施形態に係る情報処理システムの構成例を示す図である。
【００２７】
図１の情報処理システムは、撮影装置１、外部出力装置２、および管理サーバ５から構成される。
【００２８】
撮影装置１と外部出力装置２はHDMI(High Definition Multimedia Interface)やUSB(Universal Serial Bus)などの所定の規格の通信ケーブルであるケーブル３を介して接続される。撮影装置１と外部出力装置２が無線LANやBluetooth（登録商標）などの無線通信を介して接続されるようにしてもよい。外部出力装置２と管理サーバ５はそれぞれインターネット４に接続されており、インターネット４を介して相互にデータの送受信を行うことができるようになされている。
【００２９】
撮影装置１は、デジタルスチルカメラやデジタルビデオカメラなどの、撮影機能を有する装置である。ユーザは、撮影装置１を用いて撮影を行い、撮影装置１内のメモリに保存された自然画像である静止画や動画などの撮影コンテンツを、撮影装置１の背面に設けられた表示パネルに表示させて鑑賞することができる。撮影コンテンツの鑑賞時、再生操作に用いられる各種のボタンや撮影コンテンツに関する情報などの人工画像が、撮影コンテンツに重ねてOSD形式で表示される。
【００３０】
撮影装置１には、OSD形式で表示される画像や文字などの情報であるOSD情報の表示に用いられるデータであるOSD表示用データが予め用意されている。撮影装置１に用意されているOSD表示用データは、例えば、撮影装置１が有する表示パネルの解像度に応じたものである。
【００３１】
外部出力装置２は、表示パネルを有するTVなどの装置である。外部出力装置２が有する表示パネルは、Full HD（1920×1080画素）などの、撮影装置１が有する表示パネルより解像度の高い表示パネルである。
【００３２】
管理サーバ５は、OSD表示用データを管理し、適宜、インターネット４を介して外部出力装置２に送信する。
【００３３】
このような構成を有する情報処理システムにおいて、ユーザは、撮影装置１内の撮影コンテンツを外部出力装置２の表示パネルに表示させて鑑賞することもできる。
【００３４】
例えば、撮影コンテンツを外部出力装置２に出力することがユーザにより指示された場合、撮影装置１は、撮影コンテンツをメモリから読み出し、ケーブル３を介して外部出力装置２に出力する。
【００３５】
また、撮影装置１は、撮影コンテンツに重ねて表示させるOSD情報をメタデータ化し、メタデータ化したOSD情報であるOSDメタデータを外部出力装置２に送信する。OSDメタデータの送信は、ケーブル３を介して行われるようにしてもよいし、無線通信を用いて行われるようにしてもよい。ケーブル３が、ライン出力が可能なアナログケーブルである場合、撮影コンテンツについてはライン出力によって送信され、OSDメタデータについてはケーブル３とは異なるUSBケーブル（図示せず）や無線通信を用いて送信される。
【００３６】
後に詳述するように、OSD情報の属性情報であるOSDメタデータには、それぞれのOSD情報の識別情報の他に、表示位置を表す情報やサイズを表す情報などが含まれる。
【００３７】
一方、外部出力装置２は、撮影装置１から送信されてきた撮影コンテンツを受信し、自身の表示パネルに表示させる。また、外部出力装置２は、撮影装置１から送信されてきたOSDメタデータに基づいてOSD表示用データを取得し、OSD情報を撮影コンテンツに重ねて表示させる。外部出力装置２が取得するOSD表示用データは、外部出力装置２の表示パネルの解像度に応じたものであり、撮影装置１上で表示されるOSD情報より高解像度のOSD情報の表示に用いられるものである。
【００３８】
このように、図１の情報処理システムにおいては、撮影装置１内の撮影コンテンツを外部出力装置２に表示させるとき、OSD情報については、撮影コンテンツに重ねた状態で撮影装置１から外部出力装置２に送信されるのではなく、メタデータ化されて送信される。また、OSDメタデータを受信した外部出力装置２においては、外部出力装置２が有する表示パネルの解像度に応じたOSD表示用データが取得され、OSD情報の表示に用いられる。
【００３９】
これにより、OSD情報を撮影コンテンツに重ねた状態で映像信号として撮影装置１から出力し、そのまま外部出力装置２の表示パネルに表示させる場合に較べて、OSD情報の画質の劣化を防ぐことができる。
【００４０】
すなわち、撮影装置１に用意されているOSD表示用データは撮影装置１の表示パネルの解像度に応じたものである。そのOSD表示用データをそのまま用いて、高解像度の外部出力装置２の表示パネルにOSD情報を表示させた場合にはOSD情報の拡大（引き伸ばし）が生じ、画質が劣化してしまう。OSD情報については撮影装置１に用意されているOSD表示用データを用いて表示させるのではなく、外部出力装置２の表示パネルの解像度に応じたOSD表示用データを用いて表示させるようにすることにより、そのような画質の劣化を防ぐことが可能になる。
【００４１】
［OSD表示用データの取得方法］
外部出力装置２によるOSD表示用データの取得方法には以下の３つの方法がある。
【００４２】
（１）管理サーバ５から取得する方法
管理サーバ５には、各種の解像度のOSD情報の表示に用いられるOSD表示用データが用意されている。OSD情報として表示される情報には再生ボタンの画像、終了ボタンの画像などの複数の情報があるが、OSD情報の種類毎に、各種の解像度のOSD情報の表示に用いられるOSD表示用データが用意されていることになる。
【００４３】
外部出力装置２は、撮影装置１から送信されてきたOSDメタデータに基づいて管理サーバ５にアクセスする。OSDメタデータには、OSD表示用データの取得先となる管理サーバ５のアドレスが含まれている。
【００４４】
また、外部出力装置２は、撮影コンテンツに重ねて表示させることが指示された種類のOSD情報であって、自身が表示可能な解像度のOSD情報の表示に用いられるOSD表示用データを管理サーバ５からダウンロードして取得する。外部出力装置２は、管理サーバ５から取得したOSD表示用データに基づいて、撮影装置１から送信されてきた撮影コンテンツに重ねてOSD情報を表示させる。
【００４５】
（２）撮影装置１から取得する方法
この場合、撮影装置１内のメモリには、各種の解像度のOSD情報の表示に用いられるOSD表示用データが用意されている。すなわち、OSD情報の種類毎に、各種の解像度のOSD情報の表示に用いられるOSD表示用データが撮影装置１に用意されていることになる。
【００４６】
外部出力装置２は、撮影装置１から送信されてきたOSDメタデータに基づいて、表示させることが指示されたOSD情報の種類を特定し、自身が表示可能な解像度のOSD情報の表示に用いられるOSD表示用データを撮影装置１から取得する。
【００４７】
撮影装置１からのOSD表示用データの取得は、撮影コンテンツの送受信に用いられた通信経路と同じ通信経路を用いて行われるようにしてもよいし、異なる通信経路を用いて行われるようにしてもよい。外部出力装置２は、撮影装置１から取得したOSD表示用データに基づいて、撮影装置１から送信されてきた撮影コンテンツに重ねてOSD情報を表示させる。
【００４８】
（３）外部出力装置２内のメモリから取得する方法
この場合、外部出力装置２内のメモリには、外部出力装置２の表示パネルの解像度に合わせたOSD情報の表示に用いられるOSD表示用データが用意されている。例えば外部出力装置２の表示パネルがFull HD解像度の表示パネルであるとすると、外部出力装置２内のメモリには、OSD情報の種類毎に、Full HD解像度に合わせたOSD情報の表示に用いられるOSD表示用データが用意されていることになる。
【００４９】
外部出力装置２は、撮影装置１から送信されてきたOSDメタデータに基づいて、撮影コンテンツに重ねて表示させることが指示された種類のOSD情報を特定し、同じ種類のOSD情報の表示に用いられるOSD表示用データを内部のメモリから読み出す。撮影装置１から送信されてきたOSDメタデータには、OSD情報の種類（意味）を表すIDが含まれている。外部出力装置２は、メモリから読み出したOSD表示用データに基づいて、撮影装置１から送信されてきた撮影コンテンツに重ねてOSD情報を表示させる。これにより、撮影装置１が表示させようとするOSD情報が、外部出力装置２に用意されているOSD情報によって置き換えられることになる。
【００５０】
外部出力装置２によるOSD表示用データの取得は以上のようにして行われる。それぞれの取得方法の詳細についてはフローチャートを参照して後述する。
【００５１】
［OSD情報の例］
図２は、撮影装置１の表示パネルの表示例を示す図である。撮影コンテンツの表示が指示されたとき、撮影装置１の背面に設けられた表示パネル１１には図２に示すような画面が表示される。
【００５２】
表示パネル１１の全面に撮影コンテンツ表示エリア２１が設けられ、ユーザにより選択された撮影コンテンツが表示される。撮影コンテンツ表示エリア２１に表示された撮影コンテンツに重ねて、各種のOSD情報が表示される。
【００５３】
画面右上には、撮影コンテンツの再生を終了するときに操作される機能終了ボタン３１が表示され、画面下方の中央には、再生操作ボタン３２，３３，３４が並べて表示される。再生操作ボタン３２は１つ前の撮影コンテンツに戻るなどの巻き戻し操作に用いられるボタンであり、再生操作ボタン３３は撮影コンテンツの再生を一時停止するときに操作されるボタンである。再生操作ボタン３４は１つ先の撮影コンテンツに進むなどの早送り操作に用いられるボタンである。
【００５４】
再生操作ボタン３４の上には、再生時刻情報３５が表示され、再生時刻情報３５の右隣にはファイル番号情報３６が表示される。
【００５５】
このように、撮影装置１には、機能終了ボタン３１〜再生操作ボタン３４を表示させるための画像データや、再生時刻情報３５、ファイル番号情報３６を表示させるための文字データがOSD表示用データとして用意され、撮影コンテンツの再生時に用いられる。機能終了ボタン３１〜再生操作ボタン３４、再生時刻情報３５、およびファイル番号情報３６は、表示パネル１１の解像度に合わせて生成されたOSD情報である。
【００５６】
以下、適宜、外部出力装置２に表示させる画面の具体例について図２を参照して説明する。
【００５７】
＜装置の構成について＞
［撮影装置１の構成例］
図３は、撮影装置１のハードウェア構成例を示すブロック図である。
【００５８】
撮影装置１は、表示パネル１１の他に、制御部５１、操作キー５２、タッチパネル５３、撮像部５４、画像処理部５５、コーデック処理部５６、メモリ５７、および機器通信部５８から構成される。撮像部５４は、レンズ部６１と撮像素子６２から構成される。
【００５９】
制御部５１は、CPU(Central Processing Unit)、ROM(Read Only Memory)、RAM(Random Access Memory)などを有している。制御部５１は、所定のプログラムを実行し、操作キー５２やタッチパネル５３から供給された信号に応じて撮影装置１の各部の動作を制御する。
【００６０】
例えば撮影コンテンツを外部出力装置２に表示させる場合、制御部５１は、画像処理部５５を制御し、再生が指示された撮影コンテンツをメモリ５７から読み出して再生させる。制御部５１は、再生して得られた撮影コンテンツの映像データを画像処理部５５から機器通信部５８に供給させ、外部出力装置２に送信させる。また、制御部５１は、再生が指示された撮影コンテンツに重ねて表示させるOSD情報をメタデータ化し、OSDメタデータを機器通信部５８に出力して外部出力装置２に送信させる。
【００６１】
操作キー５２は、撮影装置１の筐体の背面に設けられたボタンや、上面に設けられたシャッタボタンなどより構成され、ユーザによる操作の内容を表す信号を制御部５１に出力する。
【００６２】
タッチパネル５３は表示パネル１１に積層して設けられ、ユーザにより指などでタッチされた位置を表す信号を制御部５１に出力する。
【００６３】
撮像部５４のレンズ部６１は、レンズ等の撮像光学系などから構成される。レンズ部６１は、制御部５１による制御に従って駆動し、被写体からの光を撮像素子６２に導く。
【００６４】
撮像素子６２はCMOS(Complementary Metal Oxide Semiconductor)などの撮像素子である。撮像素子６２は、レンズ部６１からの光の光電変換を行い、光の強度に応じた信号にA/D変換を施して画像処理部５５に出力する。
【００６５】
画像処理部５５は、撮像素子６２から供給された画像信号に対してホワイトバランス調整処理などの各種の画像処理を施す。画像処理部５５は、画像処理を施すことによって得られた画像信号を表示パネル１１とコーデック処理部５６に出力する。
【００６６】
また、画像処理部５５は、撮影コンテンツの再生時、メモリ５７に記録されている撮影コンテンツを読み出して再生する。画像処理部５５は、撮影コンテンツを表示パネル１１に表示させる場合、撮影コンテンツの映像データを表示パネル１１に出力し、外部出力装置２に表示させる場合、撮影コンテンツの映像データを機器通信部５８に出力する。
【００６７】
コーデック処理部５６は、画像処理部５５からの画像信号に対して符号化処理を施し、画像データをメモリ５７に供給する。
【００６８】
メモリ５７はフラッシュメモリであり、コーデック処理部５６から供給された画像データを記録する。
【００６９】
機器通信部５８は、ケーブル３を介して、または無線を介して外部出力装置２との間で通信を行う。機器通信部５８は、画像処理部５５から供給された撮影コンテンツの映像データと、制御部５１から供給されたOSDメタデータを外部出力装置２に送信する。
【００７０】
図４は、撮影装置１の機能構成例を示すブロック図である。
【００７１】
図４に示す機能部のうちの少なくとも一部は、図３の制御部５１のCPUにより所定のプログラムが実行されることによって実現される。撮影装置１においては、OSD情報管理部７１、メタデータ生成部７２、および表示制御部７３が実現される。
【００７２】
OSD情報管理部７１は、メモリ５７に記憶されているOSD表示用データを管理する。OSD情報管理部７１が管理するOSD表示用データは、表示パネル１１の解像度に合わせたOSD情報の表示に用いられるものである。OSD情報管理部７１は、撮影コンテンツを外部出力装置２に表示させるとき、撮影コンテンツに重ねて表示させるOSD情報の種類、位置、サイズなどの情報をメタデータ生成部７２に出力する。
【００７３】
外部出力装置２によるOSD表示用データの取得が撮影装置１を取得先として行われる場合（上記（２）の例の場合）、OSD情報管理部７１は、各種の解像度のOSD情報の表示に用いられるOSD表示用データを管理する。OSD情報管理部７１は、機器通信部５８を制御し、外部出力装置２から要求されたOSD表示用データを外部出力装置２に送信させる。
【００７４】
メタデータ生成部７２は、OSD情報管理部７１から供給されたOSD情報をメタデータ化し、OSDメタデータを生成する。メタデータ生成部７２は、生成したOSDメタデータを機器通信部５８に出力し、外部出力装置２に送信させる。メタデータの具体例については後述する。
【００７５】
表示制御部７３は、表示パネル１１の表示を制御する。例えば、表示制御部７３は、撮影コンテンツを表示パネル１１に表示させるとき、画像処理部５５に撮影コンテンツの再生を行わせる。また、表示制御部７３は、表示パネル１１に表示された撮影コンテンツに重ねて、OSD情報管理部７１により管理されているOSD情報を表示させる。
【００７６】
［外部出力装置２の構成例］
図５は、外部出力装置２のハードウェア構成例を示すブロック図である。
【００７７】
CPU９１、ROM９２、RAM９３は、バス９４により相互に接続される。バス９４には、さらに、入出力インタフェース９５が接続される。入出力インタフェース９５には、放送受信部９６、入力部９７、表示パネル９８、メモリ９９、機器通信部１００、ネットワーク通信部１０１、およびドライブ１０２が接続される。
【００７８】
放送受信部９６は、放送番組の視聴時、アンテナからの放送信号を受信し、放送信号に対して復調処理を施す。放送受信部９６は、復調処理を施すことによって得られた番組データのデコードを行い、番組の映像データを表示パネル９８に出力して表示させる。
【００７９】
入力部９７は、リモートコントローラからの信号を受信し、ユーザの操作の内容を表す信号をCPU９１に出力する。
【００８０】
表示パネル９８はLCDなどより構成される。表示パネル９８は、放送受信部９６により受信された番組の映像や、撮影装置１から送信され、機器通信部１００において受信された撮影コンテンツを表示する。
【００８１】
メモリ９９は、CPU９１が実行するプログラムなどの各種の情報を記録する。上述したように、外部出力装置２によるOSD表示用データの取得が自身のメモリを取得先として行われる場合（上記（３）の例の場合）、メモリ９９は、表示パネル９８の解像度に合わせたOSD情報の表示に用いられるOSD表示用データを記録する。
【００８２】
機器通信部１００は、ケーブル３を介して、または無線を介して撮影装置１との間で通信を行う。機器通信部１００は、撮影装置１から送信されてきた撮影コンテンツの映像データを受信し、表示パネル９８に出力する。また、機器通信部１００は、撮影装置１から送信されてきたOSDメタデータを受信し、CPU９１に出力する。
【００８３】
ネットワーク通信部１０１は、インターネット４を介して管理サーバ５との間で通信を行う。
【００８４】
ドライブ１０２は、リムーバブルメディア１０３を駆動し、リムーバブルメディア１０３に記録されているデータの読み出しや、リムーバブルメディア１０３に対するデータの書き込みを行う。
【００８５】
図６は、外部出力装置２の機能構成例を示すブロック図である。
【００８６】
図６に示す機能部のうちの少なくとも一部は、図５のCPU９１により所定のプログラムが実行されることによって実現される。外部出力装置２においては、OSD表示用データ取得部１１１、および表示制御部１１２が実現される。
【００８７】
OSD表示用データ取得部１１１は、撮影装置１から送信され、機器通信部１００により受信されたOSDメタデータに基づいてOSD表示用データを取得し、取得したOSD表示用データを表示制御部１１２に出力する。
【００８８】
例えば、OSD表示用データ取得部１１１は、OSD表示用データを管理サーバ５から取得する場合、ネットワーク通信部１０１を制御して管理サーバ５にアクセスする。OSD表示用データ取得部１１１は、表示パネル９８の解像度に合わせたOSD情報の表示に用いられるOSD表示用データの送信を要求し、要求に応じて管理サーバ５から送信されてきたOSD表示用データを受信して取得する。
【００８９】
また、OSD表示用データ取得部１１１は、OSD表示用データを撮影装置１から取得する場合、機器通信部１００を制御して撮影装置１にアクセスする。OSD表示用データ取得部１１１は、表示パネル９８の解像度に合わせたOSD情報の表示に用いられるOSD表示用データの送信を要求し、要求に応じて撮影装置１から送信されてきたOSD表示用データを受信して取得する。
【００９０】
OSD表示用データ取得部１１１は、OSD表示用データを外部出力装置２内部のメモリから取得する場合、表示させるOSD情報の種類を特定し、同じ種類のOSD情報の表示に用いられるOSD表示用データをメモリ９９から読み出して取得する。
【００９１】
表示制御部１１２は、表示パネル９８の表示を制御する。例えば、表示制御部１１２は、撮影装置１から送信され、機器通信部１００により受信された映像データに基づいて撮影コンテンツを表示パネル９８に表示させる。また、表示制御部１１２は、OSD表示用データ取得部１１１により取得されたOSD表示用データに基づいて、撮影コンテンツに重ねてOSD情報を表示させる。
【００９２】
＜各装置の処理について＞
ここで、以上のような構成を有する撮影装置１と外部出力装置２の処理について説明する。
【００９３】
［撮影装置１の処理］
はじめに、図７のフローチャートを参照して、撮影コンテンツを外部出力装置２に出力する撮影装置１の処理について説明する。
【００９４】
図７の処理は、例えば、ユーザが撮影装置１を外部出力装置２に接続し、撮影装置１のタッチパネル５３を操作するなどして、外部出力装置２に表示させる撮影コンテンツが選択されたときに開始される。撮影コンテンツが選択されたとき、メモリ５７から読み出された撮影コンテンツが画像処理部５５により再生され、撮影コンテンツの映像データが機器通信部５８に供給される。
【００９５】
ステップＳ１において、機器通信部５８は、画像処理部５５から供給された撮影コンテンツの映像データを外部出力装置２に送信する。
【００９６】
ステップＳ２において、メタデータ生成部７２は、OSD情報管理部７１が管理するOSD情報のうち、撮影コンテンツに重ねて表示させるOSD情報をメタデータ化する。メタデータ生成部７２は、OSDメタデータを機器通信部５８に出力する。
【００９７】
ステップＳ３において、機器通信部５８は、メタデータ生成部７２から供給されたOSDメタデータを外部出力装置２に送信する。その後、処理は終了される。
【００９８】
［OSDメタデータの具体例］
OSDメタデータの具体例について図８と図９を参照して説明する。図８に示すように、OSDメタデータには、OSD_ID、座標、表示パネルのアスペクト比、サイズ、リソースID、およびサーバのアドレスが含まれる。
【００９９】
OSD_IDは、OSD情報の識別情報であり、１フレームに表示されるそれぞれのOSD情報に割り当てられる。
【０１００】
座標は、OSD情報の表示可能領域における、ｘ軸方向、ｙ軸方向のそれぞれの表示位置を0〜1の値で表す。
【０１０１】
表示パネルのアスペクト比は、OSD情報の表示先となる表示パネルのアスペクト比である。図１の例においては、外部出力装置２が有する表示パネル９８がOSD情報の表示先となる。
【０１０２】
サイズは、OSD情報の表示可能領域全体のサイズを１とし、OSD情報の領域のｘ軸方向、ｙ軸方向のそれぞれの大きさを0〜1の値で表す。サイズは、表示パネルのアスペクト比毎に用意される。
【０１０３】
リソースIDは、OSD情報の種類を表す識別情報である。
【０１０４】
サーバのアドレスは、OSD情報をインターネット４上のサーバから取得する場合に、OSD情報の取得先となるサーバのURLを表す。
【０１０５】
図８に示すOSDメタデータは、OSD情報である図２の機能終了ボタン３１、再生操作ボタン３２〜３４、再生時刻情報３５、およびファイル番号情報３６をメタデータ化して得られたデータである。機能終了ボタン３１、再生操作ボタン３２〜３４、再生時刻情報３５、およびファイル番号情報３６には、それぞれ、OSD_IDとして1〜6が割り当てられる。
【０１０６】
すなわち、図８においてOSD_ID=1に対応付けられている各情報は機能終了ボタン３１のメタデータであり、OSD_ID=2に対応付けられている各情報は再生操作ボタン３２のメタデータである。OSD_ID=3に対応付けられている各情報は再生操作ボタン３３のメタデータであり、OSD_ID=4に対応付けられている各情報は再生操作ボタン３４のメタデータである。OSD_ID=5に対応付けられている各情報は再生時刻情報３５のメタデータであり、OSD_ID=6に対応付けられている各情報はファイル番号情報３６のメタデータである。
【０１０７】
図９に示すように、OSD情報の表示可能領域である表示パネル１１の左上端を原点（0,0）として、右上端、左下端、右下端が、それぞれ、位置（1,0）、（0,1）、（1,1）で表される。機能終了ボタン３１〜再生操作ボタン３４、再生時刻情報３５、およびファイル番号情報３６は、それぞれ、矩形領域である領域＃１〜＃６に表示される。
【０１０８】
領域＃１の位置は（0.78,0.07）として表され、大きさは、撮影装置１が有する表示パネル１１のアスペクト比が3:2であるとすると（0.16,0.12）として表される。この場合、図８に示すように、OSD_ID=1のOSD情報である機能終了ボタン３１の座標は（0.78,0.07）となり、サイズは、3:2のアスペクト比を有する表示パネル上では（0.16,0.12）となる。また、サイズは、4:3のアスペクト比を有する表示パネル上では（0.16,0.107）となり、16:9のアスペクト比を有する表示パネル上では（0.12,0.107）となる。リソースIDとして「ID_END_FUNC」が割り当てられ、サーバのアドレスには「http://AAA.net」が設定される。「http://AAA.net」は管理サーバ５のアドレスである。
【０１０９】
領域＃２の位置は（0.24,0.76）として表され、大きさは、撮影装置１が有する表示パネル１１のアスペクト比が3:2であるとすると（0.1,0.15）として表される。この場合、図８に示すように、OSD_ID=2のOSD情報である再生操作ボタン３２の座標は（0.24,0.76）となり、サイズは、3:2のアスペクト比を有する表示パネル上では（0.1,0.15）となる。また、サイズは、4:3のアスペクト比を有する表示パネル上では（0.1,0.134）となり、16:9のアスペクト比を有する表示パネル上では（0.075,0.134）となる。リソースIDとして「ID_PLAY_RWD」が割り当てられる。サーバのアドレスには、管理サーバ５のアドレスである「http://AAA.net」と、他のサーバのアドレスである「http://BBB.net」が設定される。このように、１つのOSD情報の取得先として複数のURLを設定することも可能である。
【０１１０】
領域＃３の位置は（0.44,0.76）として表され、大きさは、撮影装置１が有する表示パネル１１のアスペクト比が3:2であるとすると（0.1,0.15）として表される。この場合、図８に示すように、OSD_ID=3のOSD情報である再生操作ボタン３３の座標は（0.44,0.76）となり、サイズは、3:2のアスペクト比を有する表示パネル上では（0.1,0.15）となる。また、サイズは、4:3のアスペクト比を有する表示パネル上では（0.1,0.134）となり、16:9のアスペクト比を有する表示パネル上では（0.075,0.134）となる。リソースIDとして「ID_PLAY_PAUSE」が割り当てられ、サーバのアドレスには「http://AAA.net」と「http://BBB.net」が設定される。
【０１１１】
領域＃４の位置は（0.64,0.76）として表され、大きさは、撮影装置１が有する表示パネル１１のアスペクト比が3:2であるとすると（0.1,0.15）として表される。図８に示すように、OSD_ID=4のOSD情報である再生操作ボタン３４の座標は（0.64,0.76）となり、サイズは、3:2のアスペクト比を有する表示パネル上では（0.1,0.15）となる。また、サイズは、4:3のアスペクト比を有する表示パネル上では（0.1,0.134）となり、16:9のアスペクト比を有する表示パネル上では（0.075,0.134）となる。リソースIDとして「ID_PLAY_FWD」が割り当てられ、サーバのアドレスには「http://AAA.net」と「http://BBB.net」が設定される。
【０１１２】
領域＃５の位置は（0.6,0.6）として表され、大きさは、撮影装置１が有する表示パネル１１のアスペクト比が3:2であるとすると（0.2,0.1）として表される。この場合、図８に示すように、OSD_ID=5のOSD情報である再生時刻情報３５の座標は（0.6,0.6）となり、サイズは、3:2のアスペクト比を有する表示パネル上では（0.2,0.1）となる。また、サイズは、4:3のアスペクト比を有する表示パネル上では（0.2,0.089）となり、16:9のアスペクト比を有する表示パネル上では（0.15,0.089）となる。リソースIDとして「ID_FONT_PLAY_TIME」が割り当てられ、サーバのアドレスには「http://CCC.net」と「http://DDD.net」が設定される。
【０１１３】
領域＃６の位置は（0.8,0.6）として表され、大きさは、撮影装置１が有する表示パネル１１のアスペクト比が3:2であるとすると（0.09,0.1）として表される。この場合、図８に示すように、OSD_ID=６のOSD情報であるファイル番号情報３６の座標は（0.8,0.6）となり、サイズは、3:2のアスペクト比を有する表示パネル上では（0.09,0.1）となる。また、サイズは、4:3のアスペクト比を有する表示パネル上では（0.09,0.089）となり、16:9のアスペクト比を有する表示パネル上では（0.068,0.089）となる。リソースIDとして「ID_FONT_FILE_NUM」が割り当てられ、サーバのアドレスには「http://DDD.net」が設定される。
【０１１４】
このように、各OSD情報がメタデータ化され、外部出力装置２に送信される。OSDメタデータの送信は、USB通信や無線LAN通信などの様々な通信手段を用いることが可能である。また、OSDメタデータの表し方も、HTMLやXMLといったマークアップ言語を用いるなどの様々な手法を用いることが可能である。
【０１１５】
撮影装置１の表示パネル１１全体を基準として、各OSD情報の表示位置を正規化した値で表すことにより、外部出力装置２が有する表示パネル９８のサイズや縦横比に関わらず、各OSD情報の位置関係を維持することが可能になる。また、OSD情報のサイズをアスペクト比毎に用意しておき、表示パネル９８のアスペクト比に応じたサイズを外部出力装置２に選択させることにより、表示パネル９８のアスペクト比に関わらず、各OSD情報の大きさの関係を維持することが可能になる。
【０１１６】
［外部出力装置２の処理］
次に、図１０のフローチャートを参照して、撮影コンテンツを表示する外部出力装置２の処理について説明する。
【０１１７】
ステップＳ１１において、機器通信部１００は、撮影装置１から送信されてきた撮影コンテンツとOSDメタデータを受信する。機器通信部１００により受信された撮影コンテンツは表示制御部１１２に供給され、OSDメタデータはOSD表示用データ取得部１１１に供給される。
【０１１８】
ステップＳ１２において、表示制御部１１２は、撮影コンテンツを表示パネル９８に表示させる。
【０１１９】
ステップＳ１３において、OSD表示用データ取得部１１１は、１つのOSD情報に注目する。例えば、図８に示すように１フレームに表示するOSD情報として複数のOSD情報が指定されている場合、OSD_IDの小さい順に各OSD情報が注目される。
【０１２０】
ステップＳ１４において、OSD表示用データ取得部１１１は、注目しているOSD情報の表示に用いられるOSD表示用データをどの方法で取得するのかを判定する。
【０１２１】
OSD表示用データを管理サーバ５から取得するとステップＳ１４において判定した場合、ステップＳ１５において、OSD表示用データ取得部１１１はOSD表示用データ取得処理１を行う。OSD表示用データ取得処理１はOSD表示用データを管理サーバ５から取得する処理である。
【０１２２】
一方、OSD表示用データを撮影装置１から取得するとステップＳ１４において判定した場合、ステップＳ１６において、OSD表示用データ取得部１１１はOSD表示用データ取得処理２を行う。OSD表示用データ取得処理２はOSD表示用データを撮影装置１から取得する処理である。
【０１２３】
OSD表示用データを外部出力装置２内のメモリから取得するとステップＳ１４において判定した場合、ステップＳ１７において、OSD表示用データ取得部１１１はOSD表示用データ取得処理３を行う。OSD表示用データ取得処理３はOSD表示用データを外部出力装置２内のメモリ９９から取得する処理である。
【０１２４】
全てのOSD情報の表示用データが同じ処理によって取得されるようにしてもよいし、それぞれ異なる処理によって取得されるようにしてもよい。ステップＳ１４の判定は、例えばユーザによる設定に基づいて行われる。ユーザが取得方法を設定するのではなく、外部出力装置２により自動的に設定された優先順位に従って判定が行われるようにしてもよい。
【０１２５】
OSD表示用データ取得処理１乃至３の詳細についてはそれぞれ後述する。OSD表示用データ取得処理１乃至３によって取得されたOSD表示用データは表示制御部１１２に供給される。
【０１２６】
ステップＳ１８において、表示制御部１１２は、OSDメタデータに含まれる座標と、表示パネル９８のアスペクト比に応じたサイズに基づいて、注目しているOSD情報を表示パネル９８上に表示させる。すなわち、表示制御部１１２は、OSD表示用データに基づいて、OSDメタデータに含まれる座標により指定される表示パネル９８上の位置に、OSDメタデータに含まれる、表示パネル９８のアスペクト比に応じたサイズにより指定される大きさのOSD情報を撮影コンテンツに重ねて表示させる。
【０１２７】
例えば、図８のOSD_ID=1のOSD情報の表示について説明する。外部出力装置２の表示パネル９８の解像度が1920×1080画素であるとすると、取得したOSD表示用データに基づくOSD情報の表示パネル９８上の表示位置は（1920×0.78，1080×0.07）＝（1497,75）で表される位置となる。また、OSD情報の表示パネル９８上の大きさは、表示パネル９８のアスペクト比である16:9に応じた（0.12,0.107）が選択され、（1920×0.12，1080×0.107）＝（230,116）で表される大きさとなる。
【０１２８】
ステップＳ１９において、表示制御部１１２は、指定されている全てのOSD情報の表示が終了したか否かを判定する。
【０１２９】
全てのOSD情報の表示が終了していないとステップＳ１９において判定された場合、ステップＳ１３に戻り、次のOSD情報が注目され、以上の処理が繰り返される。一方、全てのOSD情報の表示が終了したとステップＳ１９において判定された場合、処理は終了される。
【０１３０】
［OSD表示用データ取得処理１］
次に、図１１のフローチャートを参照して、図１０のステップＳ１５において行われるOSD表示用データ取得処理１について説明する。OSD表示用データ取得処理１は、OSD表示用データを管理サーバ５から取得する処理である。
【０１３１】
ステップＳ３１において、OSD表示用データ取得部１１１は、注目しているOSD情報の表示に用いられるOSD表示用データの取得先となるサーバのアドレスをOSDメタデータから取得する。
【０１３２】
ステップＳ３２において、OSD表示用データ取得部１１１は、ネットワーク通信部１０１を制御し、OSDメタデータから取得したアドレスに基づいてサーバにアクセスする。ここでは、管理サーバ５が取得先として指定されており、管理サーバ５に対してアクセスが行われるものとする。
【０１３３】
図１２は、管理サーバ５が管理するOSD表示用データの例を示す図である。
【０１３４】
図１２に示すように、管理サーバ５においては、各解像度のOSD情報の表示に用いられるOSD表示用データが、OSD情報のリソースIDと対応付けて管理されている。
【０１３５】
図１２の例においては、リソースIDが「ID_END_FUNC」であるOSD情報のOSD表示用データとして、Full HD用データ１、WUXGA用データ１、4K2K用データ１が管理されている。また、リソースIDが「ID_PLAY_RWD」であるOSD情報のOSD表示用データとして、Full HD用データ２、WUXGA用データ２、4K2K用データ２が管理されている。
【０１３６】
Full HD用データ１，２はFull HD解像度の表示パネルにOSD情報を表示させるときに用いられるデータであり、WUXGA用データ１，２はWUXGA解像度の表示パネルにOSD情報を表示させるときに用いられるデータである。4K2K用データ１，２は4K2K解像度の表示パネルにOSD情報を表示させるときに用いられるデータである。
【０１３７】
例えば、WUXGA用データ１は、Full HD用データ１より解像度が高い、すなわち図２の機能終了ボタン３１と同じ種類のボタンを、より多い画素を用いて表示するときに用いられるデータである。また、4K2K用データ１は、機能終了ボタン３１と同じ種類のボタンを、WUXGA用データ１より多い画素を用いて表示するときに用いられるデータである。
【０１３８】
このように、管理サーバ５においては、それぞれのOSD表示用データにリソースIDが対応付けられており、各OSD表示用データがどの種類のOSD情報の表示に用いられるデータであるのかを判別できるようになっている。
【０１３９】
図１１の説明に戻り、ステップＳ３３において、OSD表示用データ取得部１１１は、管理サーバ５が管理しているOSD表示用データの中から、注目するOSD情報のリソースIDと一致するリソースIDが対応付けられているOSD表示用データを判別する。
【０１４０】
ステップＳ３４において、OSD表示用データ取得部１１１は、ネットワーク通信部１０１を制御し、判別したOSD表示用データのうち、表示パネル９８の解像度とマッチするOSD表示用データをダウンロードして取得する。
【０１４１】
例えば、図８のOSD_ID=1のOSD情報が注目されている場合、「ID_END_FUNC」のリソースIDに基づいて、リソースIDが一致するOSD表示用データであるFull HD用データ１、WUXGA用データ１、4K2K用データ１が判別される。また、表示パネル９８の解像度がFull HD解像度であるとすると、Full HD用データ１、WUXGA用データ１、4K2K用データ１のうち、Full HD用データ１がダウンロードされることになる。
【０１４２】
OSD表示用データがダウンロードされた後、図１０のステップＳ１５に戻り、それ以降の処理が行われる。取得されたOSD表示用データは表示制御部１１２に供給され、OSD情報の表示に用いられる（ステップＳ１８）。
【０１４３】
以上の処理により、管理サーバ５から取得したOSD表示用データに基づいて、外部出力装置２が有する表示パネル９８の解像度に応じたOSD情報を表示させることができ、高画質のOSD情報を表示させることが可能になる。
【０１４４】
あるサーバにはポップ調のOSD情報の表示に用いられるOSD表示用データが管理され、他のサーバにはクラシック調のOSD情報の表示に用いられるOSD表示用データが管理されるといったように、同じ種類のOSD情報の表示に用いられるOSD表示用データとして、サーバ毎に印象の異なるOSD表示用データが管理されるようにしてもよい。OSDメタデータに含まれるアドレスに基づいてアクセス先を切り替えることができるようにすることにより、表示されるOSD情報のバリエーションを増加させることが可能になる。
【０１４５】
［OSD表示用データ取得処理２］
次に、図１３のフローチャートを参照して、図１０のステップＳ１６において行われるOSD表示用データ取得処理２について説明する。OSD表示用データ取得処理２は、OSD表示用データを撮影装置１から取得する処理である。
【０１４６】
ステップＳ４１において、OSD表示用データ取得部１１１は、機器通信部１００を制御し、撮影装置１にアクセスする。撮影装置１においても、図１２を参照して説明したように、それぞれの解像度を有するOSD情報の表示に用いられるOSD表示用データが、リソースIDに対応付けてメモリ５７などに記憶されている。
【０１４７】
ステップＳ４２において、OSD表示用データ取得部１１１は、撮影装置１により管理されているOSD表示用データの中から、注目しているOSD情報のリソースIDと一致するリソースIDが対応付けられているOSD表示用データを判別する。
【０１４８】
ステップＳ４３において、OSD表示用データ取得部１１１は、機器通信部１００を制御し、判別したOSD表示用データのうち、表示パネル９８の解像度とマッチするOSD表示用データをダウンロードして取得する。表示パネル９８の解像度とマッチするOSD表示用データの送信が撮影装置１に対して要求され、要求に応じて撮影装置１から送信されてきたOSD表示用データがOSD表示用データ取得部１１１により取得される。
【０１４９】
OSD表示用データがダウンロードされた後、図１０のステップＳ１６に戻り、それ以降の処理が行われる。取得されたOSD表示用データは表示制御部１１２に供給され、OSD情報の表示に用いられる（ステップＳ１８）。
【０１５０】
ここで、図１４のフローチャートを参照して、図１３の処理に対応して行われる撮影装置１の処理について説明する。
【０１５１】
ステップＳ５１において、撮影装置１のOSD情報管理部７１は、機器通信部５８を制御して撮影装置１によるアクセスを受け、撮影装置１から送信されてくる、表示パネル９８の解像度とマッチするOSD表示用データの送信要求を受信する。
【０１５２】
ステップＳ５２において、OSD情報管理部７１は、要求されたOSD表示用データをメモリ５７から読み出して外部出力装置２に送信し、処理を終了させる。
【０１５３】
以上の処理により、撮影装置１から取得したOSD表示用データに基づいて、外部出力装置２が有する表示パネル９８の解像度に応じたOSD情報を表示させることができ、高画質のOSD情報を表示させることが可能になる。
【０１５４】
［OSD表示用データ取得処理３］
次に、図１５のフローチャートを参照して、図１０のステップＳ１７において行われるOSD表示用データ取得処理３について説明する。OSD表示用データ取得処理３は、OSD表示用データを外部出力装置２内のメモリ９９から取得する処理である。
【０１５５】
ステップＳ６１において、OSD表示用データ取得部１１１は、メモリ９９に記録されているOSD表示用データの中から、注目しているOSD情報のリソースIDと一致するリソースIDが対応付けられているOSD表示用データを判別する。
【０１５６】
外部出力装置２のメモリ９９には、表示パネル９８の解像度に合ったそれぞれのOSD情報の表示に用いられるOSD表示用データが、リソースIDに対応付けて記録されている。表示パネル９８の解像度がFull HD解像度であるとして図１２を参照して説明すると、メモリ９９には、「ID_END_FUNC」のリソースIDに対応付けてFull HD用データ１が記録される。また、「ID_PLAY_RWD」のリソースIDに対応付けてFull HD用データ２が記録される。
【０１５７】
ステップＳ６２において、OSD表示用データ取得部１１１は、判別したOSD表示用データをメモリ９９から読み出して取得する。例えば、図８のOSD_ID=1のOSD情報が注目されている場合、メモリ９９に記録されているOSD表示用データのうち、「ID_END_FUNC」のリソースIDに対応付けられているFull HD用データ１が取得される。
【０１５８】
OSD表示用データが取得された後、図１０のステップＳ１７に戻り、それ以降の処理が行われる。取得されたOSD表示用データは表示制御部１１２に供給され、OSD情報の表示に用いられる（ステップＳ１８）。
【０１５９】
図１６は、図１５の処理が行われた後に外部出力装置２の表示パネル９８に表示されるOSD情報の例を示す図である。図１３、図１４の処理が行われた後も、同様のOSD情報が表示パネル９８に表示される。
【０１６０】
図１６に示す画面は、図２の画面を表示させるときに撮影装置１により生成された図８のOSDメタデータを用いて表示された画面である。
【０１６１】
表示パネル９８の全面には撮影コンテンツ表示エリア１２１が設けられ、撮影装置１から送信されてきた撮影コンテンツが表示される。撮影コンテンツ表示エリア１２１に表示された撮影コンテンツに重ねて、各種のOSD情報がOSDメタデータに基づいて表示される。図１６に示すOSD情報は、それぞれ、図２に示すOSD情報より解像度が高いOSD情報である。
【０１６２】
画面右上の座標（0.78,0.07）で表される位置には、機能終了ボタン１３１がサイズ（0.12,0.107）で表される大きさで表示される。機能終了ボタン１３１は、図２の機能終了ボタン３１と同様に撮影コンテンツの再生を終了するときに操作されるボタンである。
【０１６３】
図１６の例においては、機能終了ボタン１３１の絵柄が機能終了ボタン３１の絵柄と異なる。これは、「ID_END_FUNC」のリソースIDに対応付けて外部出力装置２に用意されているOSD表示用データが、解像度だけでなく、絵柄についても撮影装置１に用意されている機能終了ボタン３１のOSD表示用データと異なることを表す。
【０１６４】
外部出力装置２において機能を終了するときに通常用いられるボタンを、撮影装置１からの撮影コンテンツの表示時にも用い、機能終了ボタン３１に置き換えて表示することにより、操作の一貫性を持たせることができる。外部出力装置２の通常操作時にある機能を終了させるときに用いられるボタンと異なる絵柄のボタンが機能終了ボタン１３１として表示されるとした場合、機能を終了させるといった操作を機能によって異なる絵柄のボタンを用いて行うことになり、直感的な操作が難しくなるが、そのようなことを防ぐことができる。
【０１６５】
画面下方の座標（0.24,0.76）で表される位置には、再生操作ボタン１３２がサイズ（0.075,0.134）で表される大きさで表示される。再生操作ボタン１３２は、図２の再生操作ボタン３２と同様に、１つ前の撮影コンテンツに戻るなどの巻き戻し操作に用いられるボタンである。
【０１６６】
再生操作ボタン１３３，１３４、再生時刻情報１３５、ファイル番号情報１３６についても、図１６に示すように、OSDメタデータに基づいて撮影コンテンツに重ねて表示される。
【０１６７】
以上の処理により、外部出力装置２自身に用意されているOSD表示用データに基づいて、外部出力装置２が有する表示パネル９８の解像度に応じた高画質のOSD情報を表示させることが可能になる。
【０１６８】
図１７Ａ、図１７Ｂは、OSD情報が表示される矩形領域のサイズについて説明する図である。
【０１６９】
再生操作ボタン３２，３３，３４を外部出力装置２に表示させる場合について説明する。図１７Ａは、撮影装置１が有する、アスペクト比が3:2の表示パネル１１の撮影コンテンツ表示エリア２１を示し、図１７Ｂは、外部出力装置２が有する、アスペクト比が16:9の表示パネル９８の撮影コンテンツ表示エリア１２１を示す。
【０１７０】
表示パネル１１上で（0.1,0.15）のサイズで表される領域＃２，＃３，＃４（図１７Ａ）に表示される再生操作ボタン３２，３３，３４は、16:9のアスペクト比に応じたサイズである(0.075,0.134)に基づいて、図１７Ｂに示すように縦横比を維持したまま、表示パネル９８上の領域＃２１，＃２２，＃２３に表示される。
【０１７１】
このように、OSD情報のサイズの情報を表示先となる表示パネルのアスペクト比毎に用意しておくことにより、縦横比が歪んだOSD情報が表示されてしまうのを防ぐことが可能になる。
【０１７２】
＜変形例＞
［OSDメタデータの変形例］
表示パネルのアスペクト比毎のサイズの情報をOSDメタデータに含めておくのではなく、撮影装置１が有する表示パネル１１のアスペクト比の情報をOSDメタデータに含めて外部出力装置２に通知し、OSD情報のサイズを、表示パネル９８のアスペクト比に応じて調整させるようにしてもよい。
【０１７３】
図１８は、OSDメタデータの他の具体例を示す図である。
【０１７４】
図１８の例においては、カメラパネルのアスペクト比（撮影装置１が有する表示パネル１１のアスペクト比）が3:2であることを表す情報がOSD情報毎に含まれている。また、図１８のOSDメタデータには、サイズの情報として、3:2のアスペクト比を有する表示パネル１１上での大きさを表す情報が含まれている。
【０１７５】
このようなOSDメタデータを用いてOSD情報を表示する場合、外部出力装置２の表示制御部１１２は、OSDメタデータに含まれるサイズにより表される大きさのOSD情報を表示パネル９８のアスペクト比に応じた大きさのものに調整し、表示させる。これにより、アスペクト比毎のサイズの情報が含まれる場合と同様に、縦横比を維持したまま、外部出力装置２にOSD情報を表示させることが可能になる。
【０１７６】
ここで、図１９のフローチャートを参照して、図１８のOSDメタデータに基づいてOSD情報を表示させる外部出力装置２の処理について説明する。図１９に示す処理は、図１０を参照して説明した処理と基本的に同様の処理である。重複する説明については適宜省略する。
【０１７７】
ステップＳ１０１において、機器通信部１００は、撮影装置１から送信されてきた撮影コンテンツとOSDメタデータを受信する。
【０１７８】
ステップＳ１０２において、表示制御部１１２は、撮影コンテンツを表示パネル９８に表示させる。
【０１７９】
ステップＳ１０３において、OSD表示用データ取得部１１１は、１つのOSD情報に注目し、ステップＳ１０４においてOSD表示用データをどの方法で取得するのかを判定する。
【０１８０】
ステップＳ１０５，Ｓ１０６，Ｓ１０７において、OSD表示用データ取得部１１１は、それぞれ、OSD表示用データ取得処理１，２，３によってOSD表示用データを取得する。
【０１８１】
ステップＳ１０８において、表示制御部１１２は、OSDメタデータに含まれる座標とサイズに基づいて、注目しているOSD情報を、表示パネル９８のアスペクト比に合わせたサイズで表示させる。すなわち、表示制御部１１２は、OSDメタデータに含まれる座標により指定される表示パネル９８上の位置に、OSDメタデータに含まれるサイズのOSD情報を、表示パネル９８のアスペクト比に合わせた大きさになるように調整して撮影コンテンツに重ねて表示させる。
【０１８２】
ステップＳ１０９において、表示制御部１１２は、指定されている全てのOSD情報の表示が終了したか否かを判定し、全てのOSD情報の表示が終了したと判定した場合、処理を終了させる。
【０１８３】
［更新を伴うOSD情報について］
OSD情報のうち、図２の再生時刻情報３５とファイル番号情報３６は所定のタイミングで更新される情報である。再生時刻情報３５は、撮影コンテンツの表示開始後、時間の経過に伴って更新され、ファイル番号情報３６は、撮影コンテンツが切り替わることに伴って更新される。
【０１８４】
OSD情報の更新は、例えば、更新タイミング毎に撮影装置１から外部出力装置２に対してOSDメタデータが送信され、撮影装置１から送信されてきたOSDメタデータに基づいて、外部出力装置２がOSD情報を表示させることによって実現される。
【０１８５】
また、更新を伴うOSD情報の表示に用いられる0〜9の画像データを、撮影装置１から送信されてきたOSDメタデータに基づいて外部出力装置２が取得し、取得した画像データを組み合わせてOSD情報の表示と更新が行われるようにしてもよい。数字の画像データの組み合わせ方は、例えば、撮影装置１から外部出力装置２に対してOSDメタデータによって指定される。
【０１８６】
［その他］
以上においては、OSD情報を表示させる場合の処理について説明したが、上述した処理は、ある装置により生成された映像を、外部の装置のディスプレイに表示させる各種のシステムに適用可能である。例えば、各種のアイコンが並ぶ携帯端末のメニュー画面をTVに表示させるシステムに適用することもできる。
【０１８７】
［プログラムについて］
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０１８８】
インストールされるプログラムは、光ディスクや半導体メモリなどよりなる図５に示されるリムーバブルメディア１０３に記録して提供される。また、ローカルエリアネットワーク、インターネット、デジタル放送といった、有線または無線の伝送媒体を介して提供されるようにしてもよい。プログラムは、ROM９２やメモリ９９に、あらかじめインストールしておくことができる。
【０１８９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１９０】
なお、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１９１】
本技術の実施の形態は、上述した実施の形態に限定されるものではなく、本技術の要旨を逸脱しない範囲において種々の変更が可能である。
【０１９２】
例えば、上述のフローチャートで説明した各ステップは、１つの装置で実行する他、複数の装置で分担して実行することができる。また、１つのステップに複数の処理が含まれる場合には、その１つのステップに含まれる複数の処理は、１つの装置で実行する他、複数の装置で分担して実行することができる。
【０１９３】
［構成の組み合わせ例］
本技術は、以下のような構成をとることもできる。
【０１９４】
（１）
画像に重ねて表示させるOSD情報の表示位置、および表示サイズの情報を少なくとも含む、前記OSD情報の属性情報を生成する生成部と、
前記属性情報を、自身が有する表示部の解像度に応じた前記OSD情報の表示に用いられる表示用データを取得し、前記表示用データに基づいて、前記表示位置の情報により指定される前記表示部上の位置に、前記表示サイズの情報により指定されるサイズで前記OSD情報を表示させる出力装置に対して送信する送信部と
を備える情報処理装置。
【０１９５】
（２）
前記画像を撮影する撮影部をさらに備え、
前記送信部は、前記撮影部により撮影された前記画像を送信するとともに、送信した前記画像に重ねて表示させる前記OSD情報の前記属性情報を送信する
前記（１）に記載の情報処理装置。
【０１９６】
（３）
前記生成部は、同じ種類の前記OSD情報の前記表示用データとして、解像度が異なる前記OSD情報の表示に用いられる複数の前記表示用データを管理するサーバのアドレスをさらに含む前記属性情報を生成する
前記（１）または（２）に記載の情報処理装置。
【０１９７】
（４）
同じ種類の前記OSD情報の前記表示用データとして、解像度が異なる前記OSD情報の表示に用いられる複数の前記表示用データを記憶する記憶部をさらに備え、
前記送信部は、前記出力装置が有する前記表示部の解像度に応じた前記OSD情報の表示に用いられる前記表示用データを前記出力装置に送信する
前記（１）乃至（３）のいずれかに記載の情報処理装置。
【０１９８】
（５）
前記生成部は、前記OSD情報の種類を表す識別情報をさらに含む前記属性情報を生成する
前記（１）乃至（４）のいずれかに記載の情報処理装置。
【０１９９】
（６）
画像に重ねて表示させるOSD情報の表示位置、および表示サイズの情報を少なくとも含む、前記OSD情報の属性情報を生成し、
前記属性情報を、自身が有する表示部の解像度に応じた前記OSD情報の表示に用いられる表示用データを取得し、前記表示用データに基づいて、前記表示位置の情報により指定される前記表示部上の位置に、前記表示サイズの情報により指定されるサイズで前記OSD情報を表示させる出力装置に対して送信する
ステップを含む情報処理方法。
【０２００】
（７）
画像に重ねて表示させるOSD情報の表示位置、および表示サイズの情報を少なくとも含む、前記OSD情報の属性情報を生成し、
前記属性情報を、自身が有する表示部の解像度に応じた前記OSD情報の表示に用いられる表示用データを取得し、前記表示用データに基づいて、前記表示位置の情報により指定される前記表示部上の位置に、前記表示サイズの情報により指定されるサイズで前記OSD情報を表示させる出力装置に対して送信する
ステップを含む処理をコンピュータに実行させるプログラム。
【０２０１】
（８）
画像を表示する表示部と、
前記画像に重ねて表示させるOSD情報の表示位置、および表示サイズの情報を少なくとも含む、前記OSD情報の属性情報を生成する情報処理装置から送信されてきた前記属性情報を受信する受信部と、
前記表示部の解像度に応じた前記OSD情報の表示に用いられる表示用データを取得する取得部と、
前記表示用データに基づいて、前記表示位置の情報により指定される前記表示部上の位置に、前記表示サイズの情報により指定されるサイズで前記OSD情報を表示させる表示制御部と
を備える出力装置。
【０２０２】
（９）
前記受信部は、前記情報処理装置から送信されてきた、前記情報処理装置により撮影された前記画像を受信するとともに、受信した前記画像に重ねて表示させる前記OSD情報の前記属性情報を受信する
前記（８）に記載の出力装置。
【０２０３】
（１０）
前記受信部は、同じ種類の前記OSD情報の前記表示用データとして、解像度が異なる前記OSD情報の表示に用いられる複数の前記表示用データを管理するサーバのアドレスをさらに含む前記属性情報を受信し、
前記取得部は、前記アドレスに基づいて前記サーバにアクセスし、前記表示部の解像度に応じた前記OSD情報の表示に用いられる前記表示用データを取得する
前記（８）または（９）に記載の出力装置。
【０２０４】
（１１）
前記取得部は、同じ種類の前記OSD情報の前記表示用データとして、解像度が異なる前記OSD情報の表示に用いられる複数の前記表示用データを管理する前記情報処理装置から、前記表示部の解像度に応じた前記OSD情報の表示に用いられる前記表示用データを取得する
前記（８）乃至（１０）のいずれかに記載の出力装置。
【０２０５】
（１２）
前記表示部の解像度に応じた前記OSD情報の表示に用いられる前記表示用データを記憶する記憶部をさらに備え、
前記受信部は、前記OSD情報の種類を表す識別情報をさらに含む前記属性情報を受信し、
前記取得部は、前記識別情報により表される種類と同じ種類の前記OSD情報の表示に用いられる前記表示用データを前記記憶部から取得する
前記（８）乃至（１１）のいずれかに記載の出力装置。
【０２０６】
（１３）
画像に重ねて表示させるOSD情報の表示位置、および表示サイズの情報を少なくとも含む、前記OSD情報の属性情報を生成する情報処理装置から送信されてきた前記属性情報を受信し、
前記画像を表示する表示部の解像度に応じた前記OSD情報の表示に用いられる表示用データを取得し、
前記表示用データに基づいて、前記表示位置の情報により指定される前記表示部上の位置に、前記表示サイズの情報により指定されるサイズで前記OSD情報を表示させる
ステップを含む出力方法。
【０２０７】
（１４）
画像に重ねて表示させるOSD情報の表示位置、および表示サイズの情報を少なくとも含む、前記OSD情報の属性情報を生成する情報処理装置から送信されてきた前記属性情報を受信し、
前記画像を表示する表示部の解像度に応じた前記OSD情報の表示に用いられる表示用データを取得し、
前記表示用データに基づいて、前記表示位置の情報により指定される前記表示部上の位置に、前記表示サイズの情報により指定されるサイズで前記OSD情報を表示させる
ステップを含む処理をコンピュータに実行させるプログラム。
【０２０８】
（１５）
画像に重ねて表示させるOSD情報の表示位置、および表示サイズの情報を少なくとも含む、前記OSD情報の属性情報を生成する生成部と、
前記属性情報を出力装置に対して送信する送信部と
を備える情報処理装置と、
前記画像を表示する表示部と、
前記属性情報を受信する受信部と、
前記表示部の解像度に応じた前記OSD情報の表示に用いられる表示用データを取得する取得部と、
前記表示用データに基づいて、前記表示位置の情報により指定される前記表示部上の位置に、前記表示サイズの情報により指定されるサイズで前記OSD情報を表示させる表示制御部と
を備える前記出力装置と
からなる
情報処理システム。
【符号の説明】
【０２０９】
１  撮影装置，  ２  外部出力装置，  ３  ケーブル，  ４  インターネット，  ５  管理サーバ，  ７１  OSD情報管理部，  ７２  メタデータ生成部，  ７３  表示制御部，  １１１  OSD表示用データ取得部，  １１２  表示制御部
【図１】
2014116686.tif 000003
【図２】
2014116686.tif 000004
【図３】
2014116686.tif 000005
【図４】
2014116686.tif 000006
【図５】
2014116686.tif 000007
【図６】
2014116686.tif 000008
【図７】
2014116686.tif 000009
【図８】
2014116686.tif 000010
【図９】
2014116686.tif 000011
【図１０】
2014116686.tif 000012
【図１１】
2014116686.tif 000013
【図１２】
2014116686.tif 000014
【図１３】
2014116686.tif 000015
【図１４】
2014116686.tif 000016
【図１５】
2014116686.tif 000017
【図１６】
2014116686.tif 000018
【図１７】
2014116686.tif 000019
【図１８】
2014116686.tif 000020
【図１９】
2014116686.tif 000021